(57)【要約】      （修正有）【課題】誘導標識柱全体を弾性材製とすることにより、視覚障害者が誤って衝突しても安全で、安価な誘導標識柱を提供する。【解決手段】路面に立設する柱状の標識柱本体と、前記標識柱本体の上端部に設けた表示シールを有する頭部と、前記標識柱本体の下端部に設けた埋設部材とよりなる誘導標識柱において、前記標識柱本体及び頭部が弾性材製であると共に、前記頭部が、前記上端部に、固定手段により着脱自在に保持されていることを特徴としている。【選択図】図２
0003141996.tif 000002
【実用新案登録請求の範囲】
【請求項１】
路面に立設する柱状の標識柱本体（１）と、前記標識柱本体（１）の上端部（１１）に設けた表示シール（２１）を有する頭部（２）と、前記標識柱本体（１）の下端部（１２）に設けた埋設部材（３）とよりなる誘導標識柱において、前記標識柱本体（１）及び頭部（２）が弾性材製であると共に、前記頭部（２）が、前記上端部（１１）に、固定手段（５）により着脱自在に保持されていることを特徴とする誘導標識柱。
【請求項２】
前記頭部（２）と前記上端部（１１）との間に位置決め手段（４）が存在することを特徴とする請求項１記載の誘導標識柱。
【請求項３】
前記位置決め手段（４）が、前記頭部（２）の下面（２３）に設けた溝（２２）と、前記上端部（１１）の上面（１４）に設けた突起（１３）とより構成されていることを特徴とする請求項２記載の誘導標識柱。
【請求項４】
前記溝（２２）が複数個設けられていることを特徴とする請求項３記載の誘導標識柱。
【請求項５】
前記位置決め手段（４）が、前記頭部（２）の筒部（２４）の内周面に設けた溝（２５）と、前記上端部（１１）の外周面に設けた突起（１４）とより構成されていることを特徴とする請求項２記載の誘導標識柱。
【請求項６】
前記溝（２５）が複数個設けられていることを特徴とする請求項５記載の誘導標識柱。
【請求項７】
前記位置決め手段（４）が、前記筒部（２４）に設けた貫通孔（２６）と、前記上端部（１１）側面に設けた前記貫通孔（２６）に対応して設けた位置決め穴（１５）とに挿入したピン（４１）とより構成されていることを特徴とする請求項２記載の誘導標識柱。
【請求項８】
前記位置決め手段（４）が、前記頭部（２）に設けた貫通孔（２７）と、前記上端部（１１）の上面（１４）に設けた位置決め穴（１６）とに挿入したピン（４２）とより構成されていることを特徴とする請求項２記載の誘導標識柱。
【請求項９】
前記貫通孔（２７）が複数個設けられていることを特徴とする請求項８記載の誘導標識柱。
【請求項１０】
前記表示シール（２１）に点字表示部（２１１）が存在することを特徴とする請求項１〜９いずれか一項記載の誘導標識柱。
【請求項１１】
前記固定手段（５）が、前記頭部（２）に設けた固定用孔（５１）を貫通して、前記上端部（１１）の上面（１４）に設けた固定用ネジ溝（１７）に、ボルト（１８）を螺合することを特徴とする請求項１〜１０のいずれか一項記載の誘導標識柱。
【請求項１２】
前記埋設部材（３）が、標識柱本体（１）に対し、着脱可能としたことを特徴とする請求項１〜１１のいずれか一項記載の誘導標識柱。
【考案の詳細な説明】
【技術分野】
【０００１】
本考案は、誘導標識柱に関する。
また、本考案は、歩道へ車輌が侵入することを防止するための標識柱、屋外駐車場、車線変更、歩車道分離等に用いて有用な誘導標識柱に関する。
【背景技術】
【０００２】
従来、誘導標識柱としては、特開平１０−３２３３６５号公報、特開平６−９４４６２号公報、実用新案登録第３０８１８３１号公報に記載の様な、金属材製若しくはコンクリート材製の標識柱本体に、表示部や、音声案内部等を設け、視覚障害者に対する案内システムを提供していた。
【０００３】
しかし、標識柱本体が金属材製若しくはコンクリート材製であるため、視覚障害者にとって安全性に問題があった。
また、金属材製若しくはコンクリート材製であるため、誘導標識柱の設置、交換に多くの手間がかかった。
更に、誘導標識柱の製作費用が嵩む問題も惹起した。
【０００４】
【特許文献１】特開平１０−３２３３６５号公報
【特許文献２】特開平６−９４４６２号公報
【特許文献３】実用新案登録第３０８１８３１号公報
【考案の開示】
【考案が解決しようとする課題】
【０００５】
本発明は、このような課題に鑑みてなされたものであり、誘導標識柱全体を弾性材製とすることにより、視覚障害者が誤って衝突しても安全で、安価な誘導標識柱を提供することである。
【課題を解決するための手段】
【０００６】
本考案の誘導標識柱は、路面に立設する柱状の標識柱本体と、前記標識柱本体の上端部に設けた表示シールを有する頭部と、前記標識柱本体の下端部に設けた埋設部材とよりなる誘導標識柱において、前記標識柱本体及び頭部が弾性材製であると共に、前記頭部が、前記上端部に、固定手段により着脱自在に保持されていることを特徴としている。
【考案の効果】
【０００７】
本考案は、以下に記載されるような効果を奏する。
請求項１記載の考案の誘導標識柱によれば、視覚障害者が誤って衝突しても安全で、安価である。
【０００８】
また、請求項２記載の考案の誘導標識柱によれば、表示シールの地図等の方向を正確に決められる。
更に、請求項３記載の考案の誘導標識柱によれば、標識本体を路面に固定後、頭部を標識本体上で回動することにより、簡単に位置合わせが出来る。
【０００９】
更に、請求項４記載の考案の誘導標識柱によれば、表示シールを設けている頭部の細かな位置合わせが可能である。
更に、請求項５記載の考案の誘導標識柱によれば、突起と溝の位置が視覚により確認できるため、位置合わせが容易である。
【００１０】
更に、請求項６記載の考案の誘導標識柱によれば、表示シールを設けている頭部の細かな位置合わせが可能である。
更に、請求項７記載の考案の誘導標識柱によれば、施工時に、ドリル等で、位置決め穴及び貫通孔を設けた後、ピンを挿入することにより、穴加工及び位置合わせが容易である。
【００１１】
更に、請求項８記載の考案の誘導標識柱によれば、施工時に、ドリル等で、位置決め穴及び貫通孔を設けた後、ピンを挿入することにより、穴加工及び位置合わせが容易であると共に、ピンの脱落が防止出来る。
また、請求項９記載の考案の誘導標識柱によれば、表示シールを設けている頭部の細かな位置合わせが可能である。
【００１２】
更に、請求項１０記載の考案の誘導標識柱によれば、視覚障害者に特に有効である。
更に、請求項１１記載の考案の誘導標識柱によれば、頭部若しくは本体の何れかが損傷を受けた場合、損傷を受けた部材だけを交換でき、経済的である。
【００１３】
更に、請求項１２記載の考案の誘導標識柱によれば、誘導標識柱の施工が容易である。
【考案を実施するための最良の形態】
【００１４】
以下、本考案を実施するための最良の形態について説明する。
図１乃至図１６に基づき考案を実施するための最良の形態について説明する。
【００１５】
図１は本考案の第1の実施例を示す正面図である。
図２は図１の側面図を部分断面で示した図である。
図３は図２の部分拡大図である。
図４は図３のＡ−Ａ断面図である。
図５は図１の頭部の上面図である。
図６は本考案の第２の実施例を図３と同様に示した図である。
図７は図６のＢ−Ｂ断面図である。
図８は本考案の第３の実施例を図３と同様に示した図である。
図９は図８のＣ−Ｃ断面図である。
図１０は本考案の第３の実施例を図３と同様に示した図である。
図１１は図１０のＤ−Ｄ断面図である。
図１２は本考案の第４の実施例を図３と同様に示した図である。
図１３は図１２のＥ−Ｅ断面図である。
図１４は本考案の第５の実施例を図３と同様に示した図である。
図１５は図１４のＦ−Ｆ断面図である。
図１６は本考案の第６の実施例を図１と同様に示した図である。
【００１６】
図１乃至図５において、本考案に係る誘導標識柱は、路面に立設する柱状の標識柱本体１と、この標識柱本体１の上端部１１に設けた表示シール２１を有する頭部２と、標識柱本体１の下端部１２に設けた埋設部材３とを備えており、標識柱本体１及び頭部２がポリウレタン材製であると共に、頭部２が、上端部１１に、固定手段５により着脱自在に保持されている。
【００１７】
そして、図３に示す様に、頭部２と上端部１１との間には、位置決め手段４が存在する。
この位置決め手段４は、頭部２の下面２３に設けた溝２２と、本体１の上端部１１の上面１４に設けた突起１３とが係合する構成とされている。
また、図５に示す様に、表示シール２１には、健常者が識別できる表示の他に、点字表示部２１１が存在する構成としている。
このため、視覚障害者に特に有効である。
更に、固定手段５は、頭部２に設けた、頭部２の略中心に設けた固定用孔５１を貫通して、本体１の上端部１１の上面１４に設けた固定用ネジ溝１７に、ボルト１８を螺合する構成としている。
【００１８】
本考案の第２実施例は、図６及び図７に示す様に、先に説明した第１の実施例の溝２２及び突起１３を複数個設けた構成としたが、突起１３は１個でも良い。
また、突起１３を頭部２側に設け、溝２２を上端部１１側に設ける態様としても良い。
【００１９】
本考案の第３実施例は、図８及び図９に示す様に、位置決め手段４が、頭部２の筒部２４の内周面に設けた溝２５と、上端部１１の外周面に設けた突起１４とにより構成する態様としている。
【００２０】
本考案の第４実施例は、図１０及び図１１に示す様に、先に説明した第３の実施例の溝２５及び突起１４を複数個設けた構成としたが、突起１４は１個でも良い。
【００２１】
本考案の第５実施例は、図１２及び図１３に示す様に、位置決め手段４が、筒部２４に設けた貫通孔２６と、上端部１１に設けた、貫通孔２６に対応した位置決め穴１５とに挿入したピン４１とより構成されている。
本実施例では、施工時に、ドリル等で、位置決め穴１５及び貫通孔２６を設けた後、ピン４１を挿入する態様とすることにより、穴加工及び位置合わせが容易である。
【００２２】
本考案の第６実施例は、図１４及び図１５に示す様に、位置決め手段４が、頭部２に設けた貫通孔２７と、上端部１１の上面１４に設けた位置決め穴１６とに挿入したピン４２とより構成されている。
そして、この貫通孔２７は、環状で等配に複数個設けられている。
【００２３】
また、第７実施例は、図１６に示す様に、埋設部材３が、標識柱本体１に対し、着脱可能としている。
すなわち、本体１側の下端に、一体的に設けたボルト１５が、埋設部材３に形成したナット穴３１と螺合する態様としている。
【００２４】
尚、本実施例では、本体１及び頭部２は、軟質のポリウレタンを使用したが、エチレン酢酸ビニル共重合体（ＥＶＡ）、硬質のポリウレタン、高密度ポリエチレン（ＨＤＰＥ）、ナイロン等を使用しても良い。
【００２５】
また、本考案は上述の発明を実施するための最良の形態に限らず本考案の要旨を逸脱することなくその他種々の構成を採り得ることはもちろんである。
【図面の簡単な説明】
【００２６】
【図１】本考案の第1の実施例を示す正面図である。
【図２】図１の側面図を部分断面で示した図である。
【図３】図２の部分拡大図である。
【図４】図３のＡ−Ａ断面図である。
【図５】図１の頭部の上面図である。
【図６】本考案の第２の実施例を図３と同様に示した図である。
【図７】図６のＢ−Ｂ断面図である。
【図８】本考案の第３の実施例を図３と同様に示した図である。
【図９】図８のＣ−Ｃ断面図である。
【図１０】本考案の第３の実施例を図３と同様に示した図である。
【図１１】図１０のＤ−Ｄ断面図である。
【図１２】本考案の第４の実施例を図３と同様に示した図である。
【図１３】図１２のＥ−Ｅ断面図である。
【図１４】本考案の第５の実施例を図３と同様に示した図である。
【図１５】図１４のＦ−Ｆ断面図である。
【図１６】本考案の第６の実施例を図１と同様に示した図である。
【符号の説明】
【００２７】
１    本体
２    頭部
３    埋設部材
４    位置決め手段
５    固定手段
１１  上端部
１２  下端部
１３  突起
１４  上面
１５  ボルト
２１  表示シール
【図１】
0003141996.tif 000003
【図２】
0003141996.tif 000004
【図３】
0003141996.tif 000005
【図４】
0003141996.tif 000006
【図５】
0003141996.tif 000007
【図６】
0003141996.tif 000008
【図７】
0003141996.tif 000009
【図８】
0003141996.tif 000010
【図９】
0003141996.tif 000011
【図１０】
0003141996.tif 000012
【図１１】
0003141996.tif 000013
【図１２】
0003141996.tif 000014
【図１３】
0003141996.tif 000015
【図１４】
0003141996.tif 000016
【図１５】
0003141996.tif 000017
【図１６】
0003141996.tif 000018